(57)【特許請求の範囲】
【請求項１】
自動車の車体に沿って配索するワイヤハーネスを外部干渉材から保護する樹脂製の保護具であって、
上記ワイヤハーネスのＴ字状分岐部、十字状分岐部あるいはＬ字状屈曲部を覆う円形あるいは矩形の平板からなると共に所要の肉厚として剛性を持たせて保護部分と、該保護部分の裏面に一体的に設けるベルト巻取付部とを備え、
上記ベルト巻取付部は、直交方向に貫通した２つのベルト係止穴を設けた本体部を上記保護部分の裏面より突設していると共に、該本体部より直交方向に２本のベルトを延在させており、
上記ワイヤハーネスの分岐部あるいは屈曲部に上記２本のベルトを巻き掛けして上記ベルト係止穴に通して係止し、上記保護部分を外部干渉材の方向に向けて取り付ける構成としていることを特徴とするワイヤハーネスの保護具。
【請求項２】
自動車の車体に沿って配索するワイヤハーネスを外部干渉材から保護する樹脂製の保護具であって、
上記ワイヤハーネスのＴ字状分岐部、十字状分岐部あるいはＬ字状屈曲部を覆う円形あるいは矩形の平板からなると共に所要の肉厚として剛性を持たせて保護部分と、該保護部分の裏面に一体的に設けるテープ巻き用取付部とを備え、
上記テープ巻き用取付部は、本体部を上記保護部分の裏面より突設していると共に、該本体部より複数の舌片を延在させており、
上記舌片を分岐位置あるいは屈曲部の上記ワイヤハーネスに沿わせてテープ巻きして、上記保護部分を外部干渉材の方向に向けて取り付ける構成としていることを特徴とするワイヤハーネスの保護具。
【請求項３】
上記保護部分の表面にゴムあるいは発泡材からなる緩衝材を取り付けている請求項１または請求項２に記載のワイヤハーネスの保護具。
【発明の詳細な説明】
【０００１】
【発明の属する技術分野】
本発明はワイヤハーネスの保護具に関し、詳しくは、自動車の車体に沿って配索されるワイヤハーネスの径およびワイヤハーネスの形態に関係なく、容易に取付けられ、簡単な構成で安価に外部干渉部材からワイヤハーネスを保護するものである。
【０００２】
【従来の技術】
図８に示すように自動車の内部に配索するワイヤハーネスＷ／Ｈには、所要位置に、長手方向に環状の凹凸を繰り返す円筒状のコルゲートチューブ２を外装して、ワイヤハーネスＷ／Ｈが他部材と干渉して損傷を受けることを防止している場合が多い。
【０００３】
ワイヤハーネスＷ／Ｈの幹線から支線に分岐する部分では、該分岐部分に所要形状の保護具１０を被せて他部材と干渉して損傷を受けることを防止している。
【０００４】
例えば、Ｔ字状に分岐する部分には、合成樹脂からなるＴ字形状の保護具を用いている。該保護具１０は、図９に示すようにＴ字管を二つ割にした形状をしており、Ｔ字状の本体１０ａと該本体１０ａにヒンジ１０ｂで結合された複数のカバー１０ｃ，１０ｄ，１０ｅとからなり、本体１０ａに設けた突起部１１にカバー１０ｃ，１０ｄ，１０ｅの係止部１２を係止させることでロック係止している。また、本体１０ａおよびカバー１０ｃ，１０ｄ，１０ｅの各先端の内周には、コルゲートチューブ２の凹凸に嵌合する多数の溝１３を設けている。
【０００５】
このような保護具１０は、本体１０ａにワイヤハーネスＷ／ＨがＴ字状に分岐する部分を収納すると共に、上記本体１０ａの各先端の溝１３を各コルゲートチューブ２の先端に嵌合させた後、各カバー１０ｃ，１０ｄ，１０ｅを被せ、各コルゲートチューブ２の先端に嵌合させてロック係止している。これにより、ワイヤハーネスＷ／Ｈの分岐部分を例えばスポットバリあるいは鉄板等の外部干渉部材（図示せず）から保護している。
【０００６】
【発明が解決しようとする課題】
しかしながら、上記保護具１０は、ワイヤハーネスＷ／Ｈの分岐部分に外嵌することで取り付けられる。したがって、ワイヤハーネスＷ／Ｈの径が異なると、これに応じて径の異なるものが必要となる。
【０００７】
また、ワイヤハーネスＷ／Ｈの形態（例えばＴ字状の分岐，十字状の分岐あるいはＬ字状の屈曲）が異なると、これに対応した形状のものが必要となる。
【０００８】
このようにワイヤハーネスＷ／Ｈの径およびワイヤハーネスＷ／Ｈの形態に対応した保護具が必要となるため、部品点数が増加してコスト高となり、部品管理が困難な問題がある。
【０００９】
また、上記保護具１０では、コルゲートチューブ２の先端に外嵌する溝１３を先端の内周に設けることが必要であり、また、本体１０ａにカバー１０ｃ，１０ｄ，１０ｅをロック係止させる機構を設けることが必要である。このように、構成が複雑となり、コスト高になっていた。
【００１０】
また、上記構成の複雑さに伴いワイヤハーネス１０ａへの取付順序も規制され取付作業も手間がかかっていた。すなわち、ワイヤハーネス１０ａがＴ字状に分岐する部分では、先ず、下方から分岐部分に本体１０ａを外嵌させてカバー１０ｃを被せ、次にカバー１０ｅを被せた後にカバー１０ｄを被せる必要がある。このように取付順序も規制されて取付作業に手間がかかる問題がある。
【００１１】
本発明は上記問題点に鑑み、ワイヤハーネスの径およびワイヤハーネスの形態に関係なく、容易に取付けられ、簡単な構成で安価なワイヤハーネスの保護具を提供することを課題としている。
【００１２】
【課題を解決するための手段】
上記課題を解決するため、本発明は、第１に、自動車の車体に沿って配索するワイヤハーネスを外部干渉材から保護する樹脂製の保護具であって、
上記ワイヤハーネスのＴ字状分岐部、十字状分岐部あるいはＬ字状屈曲部を覆う円形あるいは矩形の平板からなると共に所要の肉厚として剛性を持たせて保護部分と、該保護部分の裏面に一体的に設けるベルト巻取付部とを備え、
上記ベルト巻取付部は、直交方向に貫通した２つのベルト係止穴を設けた本体部を上記保護部分の裏面より突設していると共に、該本体部より直交方向に２本のベルトを延在させており、
上記ワイヤハーネスの分岐部あるいは屈曲部に上記２本のベルトを巻き掛けして上記ベルト係止穴に通して係止し、上記保護部分を外部干渉材の方向に向けて取り付ける構成としていることを特徴とするワイヤハーネスの保護具を提供している。
【００１４】
また、本発明は、第２に、自動車の車体に沿って配索するワイヤハーネスを外部干渉材から保護する樹脂製の保護具であって、
上記ワイヤハーネスのＴ字状分岐部、十字状分岐部あるいはＬ字状屈曲部を覆う円形あるいは矩形の平板からなると共に所要の肉厚として剛性を持たせて保護部分と、該保護部分の裏面に一体的に設けるテープ巻き用取付部とを備え、
上記テープ巻き用取付部は、本体部を上記保護部分の裏面より突設していると共に、該本体部より複数の舌片を延在させており、
上記舌片を分岐位置あるいは屈曲部の上記ワイヤハーネスに沿わせてテープ巻きして、上記保護部分を外部干渉材の方向に向けて取り付ける構成としていることを特徴とするワイヤハーネスの保護具を提供している。
【００１５】
このように保護具は、ベルト巻取付部に延在させたベルトによるワイヤハーネスの外周への巻き付け固定、あるいはテープ巻き用取付部から突出させた舌片によるワイヤハーネスの外周へのテープ巻きによって、ワイヤハーネスに取り付けられるので、ワイヤハーネスの径に関係なく取り付けることができ、かつワイヤハーネスの形態（例えばＴ字状，十字状あるいはＬ字状）に関係なく容易に取り付けることができる。
【００１６】
また、ベルト巻取付部のベルトの巻き付けあるいはテープ巻き用取付部のテープ巻きによるワイヤハーネスへの取付けは、従来のように取付順序が規制されることがないので、取付作業は容易となる。
【００１７】
上記保護部分の表面にゴムあるいは発泡材からなる緩衝材を取り付けていることが好ましい。該構成すると、ゴムあるいは発泡材の弾性によりワイヤハーネスをより確実に外部干渉材から保護することができる。
【００１８】
【発明の実施の形態】
以下、本発明の実施形態を図面を参照して説明する。
図１乃至図３は第１実施形態を示し、自動車の内部に配索しているワイヤハーネスＷ／Ｈには、例えばスポットバリあるいは鉄板等の外部干渉材１から保護するために直線部分に円筒状のコルゲートチューブ２を取り付け、また幹線から支線に分岐する部分に保護具３を取り付けている。
【００１９】
第１実施形態の保護具３は、円形の平板からなる保護部分３ａと、該保護部分３ａをワイヤハーネスＷ／Ｈに固定するためのベルト巻取付部３ｂとを備えている。
【００２０】
保護部分３ａは所要の肉厚で剛性を有し、表面にゴムあるいは発泡材からなる緩衝材（図示せず）を取り付けたものである。
【００２１】
また、ベルト巻取付部３ｂは、保護部分３ａの裏面に本体部３ｃを設け、該本体部３ｃの下方から２本のベルト３ｄ，３ｅを直交方向に延在させ、各ベルト３ｄ，３ｅを係止させる２つのベルト係止穴３ｆ，３ｇを本体部３ｃの上側および下側に直交方向に貫通させている。各ベルト３ｄ，３ｅの表面には長手方向と直交方向する方向に所要ピッチで凹部３ｈを設け、ベルト係止穴３ｆ，３ｇ内には該凹部３ｈと係止する凸部（図示せず）を設けている。
【００２２】
このような保護具は、ワイヤハーネスＷ／Ｈの分岐位置に２本のベルト３ｄ，３ｅを巻き掛けし、各ベルト３ｄ，３ｅをベルト係止穴３ｆ，３ｇに通して締め付け、ベルト３ｄ，３ｅの凹部３ｈにベルト係止穴３ｆ，３ｇの凸部を係止させて固定する。この際、保護部分３ａは外部干渉材１の方向（矢印Ｘ）に向けて位置決めする。
【００２３】
このように保護具３は、ベルト３ｄ，３ｅをワイヤハーネスＷ／Ｈに巻き付けて取り付けるので、様々な径のワイヤハーネスＷ／Ｈに取り付けることができる。また、保護具３は、ワイヤハーネスＷ／Ｈの形態に関係なく用いることができる。すなわち、図１にはワイヤハーネスＷ／ＨをＴ字状に分岐させた部位に保護具３を取り付けた状態を示しているが、図４に示すように、保護具３は、ワイヤハーネスＷ／Ｈを十字状に分岐させた部位、あるいは図５に示すように、ワイヤハーネスＷ／ＨをＬ字状に屈曲させた部位でもベルト３ｄ，３ｅをワイヤハーネスＷ／Ｈに巻き付けることで、容易に取り付けることができる。このようにワイヤハーネスＷ／Ｈの形態に関係なく取り付けることができるので、部品点数が増加することなく部品管理が容易となり、コストを低減できる。
【００２４】
また、ベルト３ｄ，３ｅによるワイヤハーネスＷ／Ｈへの巻き付けは、従来のように取付順序が規制されることがないので、容易にワイヤハーネスＷ／Ｈに取り付けることができ、取付作業は容易となる。
【００２５】
また、保護部分３ａは外部干渉材１の方向に対応して適宜方向を変更することができ汎用性が高い。
【００２６】
さらに、保護部分３ａの表面は、ゴムあるいは発泡材により弾性を有しているので、確実にワイヤハーネスＷ／Ｈを外部干渉材１から保護することができる。
【００２７】
図６は第２実施形態の保護具４を示し、円形の平板からなる保護部分４ａと、該保護部分４ａをワイヤハーネスＷ／Ｈに固定するためのテープ巻き用取付部４ｂとを備えている。
【００２８】
保護部分４ａは第１実施形態の保護部分３ａと同様のものである。また、テープ巻き用取付部４ｂは、本体部４ｃの側面からワイヤハーネスＷ／Ｈの長手方向に舌片４ｄ，４ｅ、４ｆを突出させている。
【００２９】
このような保護具４は、該舌片４ｄ，４ｅ、４ｆをワイヤハーネスＷ／Ｈに沿わせてコルゲートチューブ２の外周にテープ５で巻くことでワイヤハーネスＷ／Ｈに取り付けることができる。この際、保護部分４ａは外部干渉材（図示せず）の方向に向けて位置決めする。
【００３０】
上記保護具４は、舌片４ｄ，４ｅ、４ｆをワイヤハーネスＷ／Ｈに沿わせてテープ５で巻くだけで取り付けられるので、上記第１実施形態の保護具３と同様にワイヤハーネスＷ／Ｈの径およびワイヤハーネスＷ／Ｈの形態に関係なく容易に取付けられ、取付順序が規制されることがなく、取付作業は容易である。
【００３１】
なお、上記実施形態では、保護部分３ａ，４ａを円形としたが、これに限らず、矩形あるいは図６に示すようにＬ字形の保護部分６ａとしても良い。保護部分の形状を変更することで様々な外部干渉材に対応することができる。
【００３２】
また、上記実施形態では、ワイヤハーネスＷ／Ｈの直線部分にコルゲートチューブ２を取り付けている場合を説明したが、これに限らず、ワイヤハーネスＷ／Ｈに塩化ビニルチューブを取り付けている場合あるいはワイヤハーネスをシート巻きしている場合でも同様に上記保護具３，４，７を適用することができる。
【００３３】
【発明の効果】
以上の説明より明らかなように、本発明のワイヤハーネスの保護具によれば、ベルト巻取付部に延在させたベルトによるワイヤハーネスの外周への巻き付け固定、あるいはテープ巻き用取付部によるワイヤハーネスの外周へのテープ巻きによって、ワイヤハーネスに取り付けられるので、ワイヤハーネスの径に関係なく取り付けることができ、かつワイヤハーネスの形態（例えばＴ字状，十字状あるいはＬ字状）に関係なく取り付けることができる。
【００３４】
したがって、従来のようにワイヤハーネスの径あるいはワイヤハーネスの形態に応じた形状とすることは不要であり、部品点数が増加することなく部品管理が容易となり、コストを低減できる。
【００３５】
また、ベルト巻取付部のベルトの巻き付けあるいはテープ巻き用取付部のテープ巻きによるワイヤハーネスへの取付けは、従来のように取付順序が規制されることがないので、容易にワイヤハーネスに取り付けることができ、取付作業は容易となる。
【００３６】
上記保護部分の表面にゴムあるいは発泡材からなる緩衝材を取り付けておくことで、ゴムあるいは発泡材の弾性によりワイヤハーネスをより確実に外部干渉材から保護することができる。
【００３７】
さらに、円形あるいは矩形の平板からなる保護部分にベルト巻取付部およびテープ巻き用取付部を一体形成した保護具は、従来のように分岐したワイヤハーネスに外嵌させるものより構成が簡単で安価となる。
【図面の簡単な説明】
【図１】  本発明の第１実施形態の保護具をＴ字状に分岐したワイヤハーネスに取り付けた状態を示す斜視図である。
【図２】  本発明の第１実施形態の保護具を示し、（Ａ）は斜視図、（Ｂ）は側面図である。
【図３】  本発明の第１実施形態の保護具をＴ字状に分岐したワイヤハーネスに取り付ける様子を説明するための斜視図である。
【図４】  本発明の第１実施形態の保護具を十字状に分岐したワイヤハーネスに取り付けた状態を示す斜視図である。
【図５】  本発明の第１実施形態の保護具をＬ字状に屈曲したワイヤハーネスに取り付けた状態を示す外観側面図である。
【図６】  本発明の第２実施形態の保護具をＴ字状に分岐したワイヤハーネスに取り付けた状態を示し、（Ａ）は上面図、（Ｂ）は側面図である。
【図７】  本発明の実施形態の変形例を示す概略斜視図である。
【図８】  従来の保護具をＴ字状に分岐したワイヤハーネスに取り付けた状態を示す斜視図である。
【図９】  従来の保護具を示す展開図である。
【符号の説明】
１  外部干渉材
３，４  保護具
３ａ，４ａ  保護部分
３ｂ  ベルト巻取付部
４ｂ  テープ巻き用取付部
３ｃ，４ｃ  本体部
３ｄ，３ｅ  ベルト
３ｇ，３ｆ  ベルト係止穴
【図１】
0003637739.tif 000002
【図２】
0003637739.tif 000003
【図３】
0003637739.tif 000004
【図４】
0003637739.tif 000005
【図５】
0003637739.tif 000006
【図６】
0003637739.tif 000007
【図７】
0003637739.tif 000008
【図８】
0003637739.tif 000009
【図９】
0003637739.tif 000010